(57)【要約】【課題】不正な複製および再生を防止するとともに、音源や映像の品質を損なわずにコンテンツの再生が可能な再生装置を提供する。【解決手段】再生装置(100)が、データを格納し、再生装置が持つオペレーティングシステムによりサポートされないファイルシステムを使用している第１の記憶領域(110)と、第１の記憶領域が使用しているファイルシステムをサポートし、再生要求のみを受け付け、第１の記憶領域に格納されているデータを読み出して供給し、読み出し、供給操作が隠蔽されているインターフェイス部(120)と、インターフェイス部により供給されたデータを再生する再生部(132)とを具える。【選択図】図１
2008234581.tif 000002
【特許請求の範囲】
【請求項１】
再生装置であって、
データを格納し、前記再生装置が持つオペレーティングシステムによりサポートされないファイルシステムを使用している第１の記憶領域と、
前記第１の記憶領域が使用しているファイルシステムをサポートし、再生要求のみを受け付け、前記第１の記憶領域に格納されているデータを読み出して供給し、前記読み出し、供給操作が隠蔽されているインターフェイス部と、
前記インターフェイス部により供給されたデータを再生する再生部と、
を具える再生装置。
【請求項２】
請求項１に記載の再生装置において、
前記再生要求が、ストリーム再生要求であり、
前記インターフェイス部が、前記第１の記憶領域に格納されているデータを読み出してストリーム再生形式で前記再生部に供給し、
前記再生部を、前記ストリーミング形式で供給されたデータをストリーミング再生するストリーム再生部として構成した、
ことを特徴とする再生装置。
【請求項３】
請求項１に記載の再生装置において、
前記インターフェイス部が、前記再生装置が持つ前記オペレーティングシステムがセキュアであるか否かを判定する監視部をさらに具え、
前記インターフェイス部は、前記監視部が前記オペレーティングシステムがセキュアであると判定した場合は、前記第１の記憶領域に格納されているデータを読み出して、前記再生部に供給し、
前記インターフェイス部は、前記監視部が前記オペレーティングシステムがセキュアでないと判定した場合は、前記オペレーティングシステムをセキュアな状態に変更した後、前記第１の記憶領域に格納されているデータを読み出して、前記再生部に供給し、
前記インターフェイス部が、前記オペレーティングシステムをセキュアな状態に保持するように制御し、
前記再生部が、供給されたデータを再生する、
ことを特徴とする再生装置。
【請求項４】
請求項１に記載の再生装置において、
前記再生装置が、前記再生部により使用される第２の記憶領域をさらに具え、
前記インターフェイス部が、前記第２の記憶領域がセキュア記憶領域であるか否かを判定する監視部をさらに具え、
前記インターフェイス部は、前記監視部が前記第２の記憶領域がセキュアな記憶領域であると判定した場合は、前記第１の記憶領域に格納されているデータを読み出して、前記第２の記憶領域に供給し、
前記インターフェイス部は、前記監視部が前記第２の記憶領域がセキュアな記憶領域でないと判定した場合は、前記第２の記憶領域をセキュアな状態に変更した後、前記第１の記憶領域に格納されているデータを読み出して、前記第２の記憶領域に供給し、
前記インターフェイス部が、前記第２の記憶領域をセキュアな状態に保持しながら、前記第２の記憶領域に供給されたデータを格納するよう制御し、
前記再生部が、前記第２の記憶領域に格納されたデータを再生する、
ことを特徴とする再生装置。
【請求項５】
請求項１〜４のいずれか１項に記載の再生装置において、
前記第１の記憶領域に格納されているデータ、および該データの読み出し操作および供給操作が、カプセル化によって、隠蔽されている、
ことを特徴とする再生装置。
【請求項６】
請求項１〜５のいずれか１項に記載の再生装置において、
前記第１の記憶領域に格納されているデータが、暗号化され、
前記インターフェイス部が、前記暗号化されたデータを復号する、
ことを特徴とする再生装置。
【請求項７】
請求項１〜６のいずれか１項に記載の再生装置において、
前記インターフェイス部が、
前記再生装置が持つオペレーティングシステムによりサポートされないファイルシステムで前記第１の記憶領域をフォーマットするフォーマット機能を持つ、
ことを特徴とする再生装置。
【請求項８】
請求項１〜７のいずれか１項に記載の再生装置において、
新たなデータを取得する取得要求のみを受け付け、外部のデータ供給装置から新たなデータ取得し、取得した新たなデータを前記第１の記憶領域に格納し、前記格納操作が隠蔽されている通信部、
をさらに具えることを特徴とする再生装置。
【請求項９】
請求項８に記載の再生装置において、
前記取得した新たなデータ、および前記格納操作が、カプセル化によって、隠蔽されている、
ことを特徴とする再生装置。
【請求項１０】
請求項１〜９のいずれか１項に記載の再生装置において、
前記第２記憶領域が、外部記憶装置である、
ことを特徴とする再生装置。
【請求項１１】
再生装置の再生方法であって、
前記再生装置が持つオペレーティングシステムによりサポートされないファイルシステムを使用して、第１の記憶領域に、データを格納するステップと、
前記第１の記憶領域が使用しているファイルシステムをサポートし、再生要求のみを受け付けるインターフェイス部を使用して、前記第１の記憶領域に格納されているデータを読み出して供給し、前記読み出し、供給操作を隠蔽するステップと、
前記インターフェイス部により供給されたデータを再生するステップと、
を有することを特徴とする再生方法。
【請求項１２】
再生方法をコンピュータに実行させるためのプログラムであって、
前記再生装置が持つオペレーティングシステムによりサポートされないファイルシステムを使用して、第１の記憶領域に、データを格納するステップと、
前記第１の記憶領域が使用しているファイルシステムをサポートし、再生要求のみを受け付けるインターフェイス部を使用して、前記第１の記憶領域に格納されているデータを読み出して供給し、前記読み出し、供給操作を隠蔽するステップと、
前記インターフェイス部により供給されたデータを再生するステップと、
を有することを特徴とするプログラム。
【発明の詳細な説明】
【技術分野】
【０００１】
本発明は、再生装置、再生方法およびプログラムに関するものであり、特に、ネットワーク配信による音楽コンテンツおよび映像コンテンツを再生する再生装置、再生方法およびプログラムに関するものである。
【背景技術】
【０００２】
音楽の音源や動画などがアナログからデジタルに変わり、オーディオビジュアルシステム、音源コンテンツおよび映像コンテンツの提供方法、音源メディア等もデジタルに対応したものになっている。しかし、デジタルコンテンツは複製が容易であり、コンテンツの著作権保護のため様々な技術が提供されている。
【０００３】
著作権保護データに好適なダウンロード処理を実現するための従来技術として、情報処理空間内で特権空間を設定し、ダウンロードプログラム及び記録媒体インターフェースプログラムが、その特権空間内で動作するようにし、著作権保護を必要とするダウンロードデータについては、これらの特権空間内での処理により外部記録媒体に記録されるようにし、非特権空間に配されるユーザープログラム等から直接外部記録媒体にアクセスできないようにする方法および装置が開示されている（特許文献１参照）。
【特許文献１】特開２００２−７１９４号公報
【発明の開示】
【発明が解決しようとする課題】
【０００４】
上述したように、様々な技術がコンテンツの著作権保護のために提供されているが、音源コンテンツおよび映像コンテンツを加工して複製防止・暗号化を達成し、音源や映像の品質を劣化させている場合が多い。また、例えば、現在の音楽配信システムは、音源コンテンツを配信する際のネットワーク負荷を軽減するため、音源コンテンツを不可逆圧縮させている場合も多い。それゆえ、現状では、音の品位よりも、著作権保護のための複製防止・暗号化方法および、ネットワーク負荷の削減が重視されている場合が大半を占める。
【０００５】
そこで、本発明は、不正な複製および再生を防止するとともに、音源や映像等の品質を損なわずにコンテンツの再生が可能な再生装置を提供することを目的とする。
【課題を解決するための手段】
【０００６】
第１の発明による再生装置は、
データを格納し、前記再生装置が持つオペレーティングシステムによりサポートされないファイルシステムを使用している第１の記憶領域と、
前記第１の記憶領域が使用しているファイルシステムをサポートし、再生要求のみを受け付け、前記第１の記憶領域に格納されているデータを読み出して供給し、前記読み出し、供給操作が隠蔽されているインターフェイス部と、
前記インターフェイス部により供給されたデータを再生する再生部と、
を具えることを特徴とする。
【０００７】
また、第２の発明による再生装置は、
前記再生要求が、ストリーム再生要求であり、
前記インターフェイス部が、前記第１の記憶領域に格納されているデータを読み出してストリーム再生形式で前記再生部に供給し、
前記再生部を、前記ストリーミング形式で供給されたデータをストリーミング再生するストリーム再生部として構成した、
ことを特徴とする。
【０００８】
また、第３の発明による再生装置は、
前記インターフェイス部が、前記再生装置が持つ前記オペレーティングシステムがセキュア（秘匿性を持つ）であるか否かを判定する監視部をさらに具え、
前記インターフェイス部は、前記監視部が前記オペレーティングシステムがセキュアであると判定した場合は、前記第１の記憶領域に格納されているデータを読み出して、前記再生部に供給し、
前記インターフェイス部は、前記監視部が前記オペレーティングシステムがセキュアでないと判定した場合は、前記オペレーティングシステムをセキュアな状態に変更した後、前記第１の記憶領域に格納されているデータを読み出して、前記再生部に供給し、
前記インターフェイス部が、前記オペレーティングシステムをセキュアな状態に保持するように制御し、
前記再生部が、供給されたデータを再生する、
ことを特徴とする。
【０００９】
また、第４の発明による再生装置は、
前記再生装置が、前記再生部により使用される第２の記憶領域をさらに具え、
前記インターフェイス部が、前記第２の記憶領域がセキュア（秘匿性を持つ）記憶領域であるか否かを判定する監視部をさらに具え、
前記インターフェイス部は、前記監視部が前記第２の記憶領域がセキュアな記憶領域であると判定した場合は、前記第１の記憶領域に格納されているデータを読み出して、前記第２の記憶領域に供給し、
前記インターフェイス部は、前記監視部が前記第２の記憶領域がセキュアな記憶領域でないと判定した場合は、前記第２の記憶領域をセキュアな状態に変更した後、前記第１の記憶領域に格納されているデータを読み出して、前記第２の記憶領域に供給し、
前記インターフェイス部が、前記第２の記憶領域をセキュアな状態に保持しながら、前記第２の記憶領域に供給されたデータを格納するよう制御し、
前記再生部が、前記第２の記憶領域に格納されたデータを再生する、
ことを特徴とする。
【００１０】
また、第５の発明による再生装置は、
前記第１の記憶領域に格納されているデータ、および該データの読み出し操作および供給操作が、カプセル化によって、隠蔽されている、
ことを特徴とする。
【００１１】
また、第６の発明による再生装置は、
前記第１の記憶領域に格納されているデータが、暗号化され、
前記インターフェイス部が、前記暗号化されたデータを復号する、
ことを特徴とする。
【００１２】
また、第７の発明による再生装置は、
前記インターフェイス部が、
前記再生装置が持つオペレーティングシステムによりサポートされないファイルシステムで前記第１の記憶領域をフォーマットするフォーマット機能を持つ、
ことを特徴とする。
【００１３】
また、第８の発明による再生装置は、
新たなデータを取得する取得要求のみを受け付け、外部のデータ供給装置から（インターネットなどのネットワーク、CD/DVD装置やサウンドカードなどを介して）新たなデータ取得し、取得した新たなデータを前記第１の記憶領域に格納し、前記格納操作が隠蔽されている通信部、
をさらに具えることを特徴とする。
【００１４】
また、第９の発明による再生装置は、
前記取得した新たなデータ、および前記格納操作が、カプセル化によって、隠蔽されている、
ことを特徴とする。
【００１５】
また、第１０の発明による再生装置は、
前記第２記憶領域が、外部記憶装置であることを特徴とする。外部記憶装置としては、ＵＳＢメモリなどの外部ポートに接続したもの、或いは、ネットワークを介して接続されたものなどがある。
【００１６】
また、第１１の発明による再生装置の再生方法は、
前記再生装置が持つオペレーティングシステムによりサポートされないファイルシステムを使用して、第１の記憶領域に、データを格納するステップと、
演算手段（ＣＰＵなどのプロセッサ）を用いて、前記第１の記憶領域が使用しているファイルシステムをサポートし、再生要求のみを受け付けるインターフェイス部を使用して、前記第１の記憶領域に格納されているデータを読み出して供給し、前記読み出し、供給操作を隠蔽するステップと、
演算手段（ＣＰＵなどのプロセッサ）を用いて、前記インターフェイス部により供給されたデータを再生するステップと、
を有することを特徴とする。
【００１７】
また、第１２の発明による再生方法をコンピュータに実行させるためのプログラムは、
演算手段（ＣＰＵなどのプロセッサ）を用いて、前記再生装置が持つオペレーティングシステムによりサポートされないファイルシステムを使用して、第１の記憶領域に、データを格納するステップと、
演算手段（ＣＰＵなどのプロセッサ）を用いて、前記第１の記憶領域が使用しているファイルシステムをサポートし、再生要求のみを受け付けるインターフェイス部を使用して、前記第１の記憶領域に格納されているデータを読み出して供給し、前記読み出し、供給操作を隠蔽するステップと、
前記インターフェイス部により供給されたデータを再生するステップと、
を有することを特徴とする。
【発明の効果】
【００１８】
本発明によれば、不正な複製および再生を防止して、堅牢な著作権の保護を実現するとともに、コンテンツ自体に圧縮などのコンテンツの品質低下を伴う処理を施す必要がないため高品位な音源および映像の再生が可能な再生装置を提供できるようになる。
【発明を実施するための最良の形態】
【００１９】
以降、諸図面を参照しながら、本発明の実施態様を詳細に説明する。図１に、本発明の再生装置１００の全体図を示す。再生装置１００は、第１記憶領域１１０と、インターフェイス部１２０と、第２記憶領域１３０と、入力コネクタ部１４０とを有する。第１記憶領域１１０は、データＡ、データＢ、データＣ、などが格納される。インターフェイス部１２０は、ユーザインターフェイス部１２２と、初期部１２４と、取得用インターフェイス部１２５と、再生用インターフェイス部１２６と、監視部１２７と、通信部１２８とを有する。第２記憶領域１３０は、再生部１３２を有し、再生部１３２は、第２記憶領域１３０に格納されたデータＡあるいは、第１記憶領域１１０に格納されたデータを再生する。入力コネクタ部１４０は、アナログ入力コネクタ１４２と、デジタル入力コネクタ１４４とを有する。
【００２０】
再生装置１００に供給されるデータは、インターネットＮＥＴを介してサーバ２００からダウンロードされることによって、あるいは、アナログ再生装置２１０（例えばレコードプレイヤー）からのアナログコンテンツの供給、デジタル再生装置２２０（例えばＣＤプレイヤー、ＤＶＤプレイヤー、サウンドカード）からのデジタルコンテンツの供給によって得られる。外部のデータ供給装置から得られたデータは、通信部１２８によって制御され、ユーザインターフェイス部１２２を介して取得され、第１記憶領域１１０、第２記憶領域１３０、あるいは再生装置内のその他の領域（図示せず）に保存される。第２記憶領域１３０は、再生装置１００が持つオペレーティングシステムによりサポートされるファイルシステムを使用し、一方、第１記憶領域１１０はオペレーティングシステムによりサポートされないファイルシステムを使用しているため、ユーザがアクセスできない。インターフェイス部１２０は、第１記憶領域１１０と第２記憶領域１３０とをつなぎ、第１記憶領域１１０が使用しているファイルシステムをサポートする。インターフェイス部１２０はユーザインターフェイス部１２２を通してのみ第２記憶領域１３０からアクセスでき、インターフェイス部１２０内の処理は外部から隠蔽されている。
【００２１】
図２は、本発明の一実施様態による再生装置１００のブロック図である。ユーザインターフェイス部１２２は入力ポート１２２ｉと出力ポート１２２ｏを有し、入力ポート１２２ｉを介してユーザからの再生要求Ｒ１を受け付け、出力ポート１２２ｏを介して要求されたデータを再生部１３２に供給する。ユーザからの再生要求信号Ｓ１は、ユーザインターフェイス部１２２の入力ポート１２２ｉを経て、再生用インターフェイス部１２６によって読み出し要求信号Ｓ２に変換される。読み出し要求信号Ｓ２は第１記憶領域１１０に送信され、この読み出し要求信号Ｓ２に応じたデータ（例えば、図２ではデータＢ）が再生用インターフェイス部１２６に転送され、さらにユーザインターフェイス部１２２の出力ポート１２２ｏを経て、第２記憶領域１３０の再生部１３２に転送される。再生部１３２は転送されたデータＢを再生する。インターフェイス部１２０において、変換、読み出し、転送、供給操作はユーザから隠蔽されており、ユーザはユーザインターフェイス部１２２を通してのみ、インターフェイス部１２０にアクセスできる。
【００２２】
本発明の好適実施態様は、図２におけるユーザからの再生要求Ｒ１がストリーム再生要求であり、読み出されるデータがストリーミング再生形式で供給され、再生部１３２が、ストリーミング再生するストリーム再生部であることである。
【００２３】
データを第１記憶領域１１０に配置しているのは、強固な保護・暗号化処理によって作成したデータを第２記憶領域１３０に配置した場合と比較して、以下のような理由のためである。第１に、第２記憶領域１３０は、再生装置１００が持つオペレーティングシステム（ＯＳ）によりサポートされるファイルシステムを使用しており、ユーザフレンドリな環境（例えばWindows(登録商標）など）が好ましいことから、情報や解析ツール類も豊富であり、そのため、暗号化機能が破られる可能性が高い。第２に、データが格納された第２記憶領域１３０のハードディスクを物理的に取り外して、同じファイルシステムを持つ他の装置に装着したり、第２記憶領域１３０のＯＳ部だけを再インストールするなどの方法によって、複製することができる。一方、第１記憶領域１１０は、再生装置１００が持つオペレーティングシステムによりサポートされないファイルシステムを使用しているため、そこにアクセスされる可能性は低い。さらに、一般ユーザは、使用している装置のＯＳがサポートしていない記憶領域自体を認識することさえできず、そこに格納されたデータも当然、認識することができない。従って、再生装置１００の第１記憶領域１１０に格納された音楽データなどは、たとえ、暗号化していなくとも、一般ユーザにはセキュアな状態にあると言える。従って、本発明によれば、第１記憶領域１１０には、暗号化していない音源データなどを秘匿性を保持したまた格納することが可能となる。また、第１記憶領域１１０を物理的に着脱して、他の装置に装着してアクセスしようとしても、第１記憶領域１１０は、一般的なＯＳでサポートしていないものであるため、一般ユーザには、第１記憶領域１１０に格納されたデータにアクセスすることは極めて困難である。さらに、第１記憶領域１１０をＵＮＩＸ(登録商標）などでもサポートしていない特別なファイルシステムを使ってフォーマットすれば、第１記憶領域１１０の秘匿性はさらに向上し、本発明による装置を使用しなければ特別なツールなどを使用しない限りは、第１記憶領域１１０、およびそこに格納されたデータにはアクセスすることが事実上不可能となる。
【００２４】
図３は、本発明の他の実施様態による再生装置のブロック図であり、この図では、第２記憶領域１３０に再生データを開示する信号とデータの流れも合わせて説明してある。ユーザからの再生要求信号Ｓ１１が、ユーザインターフェイス部１２２の入力ポート１２２ｉを経て、再生用インターフェイス部１２６に供給される。データ開示許可依頼要求信号Ｓ１２が、再生用インターフェイス部１２６からユーザインターフェイス部１２２に対して送信される。第２領域セキュリティ状態確認依頼要求信号Ｓ１３が、ユーザインターフェイス部１２２から監視部１２７に対して送信される。第２領域セキュリティ状態取得要求信号Ｓ１４が、監視部１２７から、出力ポート１２２ｏを経て第２記憶領域１３０に対して送信される。第２記憶領域セキュリティ状態信号Ｓ１５が、入力ポート１２２ｉを経て、監視部１２７に対して送信される。再生許可信号Ｓ１６が、監視部１２７から、ユーザインターフェイス部１２２に送信される。再生要求信号Ｓ１７が、ユーザインターフェイス部１２２から、再生用インターフェイス部１２６に送信される。読み出し要求信号Ｓ１８が、再生用インターフェイス部１２６から、第１記憶領域１１０にを送信される。この読み出し要求信号Ｓ１８に応じたデータ（例えば、図３ではデータＡ）が再生用インターフェイス部１２６に転送され、さらにユーザインターフェイス部１２２の出力ポート１２２ｏを経て、第２記憶領域１３０に保存される。保存されたデータＡは再生部１３２によって再生される。図３の例では、第２記憶領域セキュリティ状態はセキュアな場合であるが、第２記憶領域１３０がセキュアに保たれていない場合、必要に応じて第２記憶領域１３０を制御して、セキュアな状態に変更する。
【００２５】
図４は、本発明の他の実施様態による再生装置１００のブロック図であり、データ取得再生時の暗号化と復号について説明するための図である。図４の実線の矢印は非暗号化データを示し、破線の矢印は暗号化データを示す。データはユーザインターフェイス部１２２の入力ポート１２２ｉを経て、取得用インターフェイス部１２５に供給され、そのままの形式、あるいは暗号化・復号されて第１記憶領域１１０に格納される。また、格納されたデータは、再生の際、再生用インターフェイス部１２６において、そのままの形式、あるいは暗号化・復号されて、ユーザインターフェイス部１２２の出力ポート１２２ｏから出力される。
【００２６】
データの取得方法としては以下の場合が考えられる。
【００２７】
ケース１：録音操作などで暗号化が不要な場合、非暗号化データは、そのままの形式で第１記憶領域１１０に格納される。
【００２８】
ケース２：取得データ自体が暗号化されており、そのままの形式で第１記憶領域１１０に格納される。
【００２９】
ケース３：取得データ自体が暗号化されており、暗号化データは取得用インターフェイス部１２５の復号部１２５Ｄで復号され、第１記憶領域１１０に格納される。
【００３０】
ケース４：録音操作などで暗号化が必要な場合、非暗号化データは取得用インターフェイス部１２５の暗号部１２５Ｅで暗号化され、第１記憶領域１１０に格納される。
【００３１】
また、データの再生方法としては以下の場合が考えられる。
【００３２】
ケース５：非暗号化データは、そのままの形式で再生用インターフェイス部１２６を通り、ユーザインターフェイス部１２２の出力ポート１２２ｏから供給される。
【００３３】
ケース６：保存されているデータが暗号化されており、その復号は再生ソフトで行う場合、暗号化データはユーザインターフェイス部１２２の出力ポート１２２ｏからそのまま供給される。
【００３４】
ケース７：保存されているデータが暗号化されており、暗号化データは再生用インターフェイス部１２６の復号部１２６Ｄで復号され、ユーザインターフェイス部１２２の出力ポート１２２ｏから供給される。
【００３５】
ケース８：バックアップ操作などでデータ読込み時に暗号化する場合、非暗号化データは再生用インターフェイス部１２６の暗号部１２６Ｅで復号され、ユーザインターフェイス部１２２の出力ポート１２２ｏから供給される。
【００３６】
図５は、本発明の他の実施様態による再生装置１００のブロック図であり、第２記憶領域１３０の初期化を説明するための図である。インターフェイス部１２０において、入力ポート１２２ｉで作業指示を受け付け、ユーザインターフェイス部１２２は、第１記憶領域１１０がＵＮＩＸ系ＯＳとすると、物理パーティションを生成する（プロセスＰ１ａ、Ｐ１ｂ）。次に、ユーザインターフェイス部１２２は、再生装置１００が持つオペレーティングシステムによりサポートされないファイルシステムを生成・初期化する（プロセスＰ２ａ、Ｐ２ｂ）。さらに次に、データベースなど、データの格納領域を生成・初期化する（プロセスＰ３ａ、Ｐ３ｂ）。以上のプロセスを完了すると出力ポート１２２ｏから状況表示を出力する。
【００３７】
図６は、本発明の他の実施様態による再生装置１００のブロック図であり、サーバからコンテンツをダウンロードし、第２記憶領域１３０に格納する流れを説明する。ユーザからのデータ取得要求信号Ｓ２１が、ユーザインターフェイス部１２２の入力ポート１２２ｉを経て、取得用インターフェイス部１２５に供給される。データ取得要求信号Ｓ２２が、取得用インターフェイス部１２５からがユーザインターフェイス部１２２に供給される。データ取得要求信号Ｓ２３が、ユーザインターフェイス部１２２から通信部１２８に供給される。データ取得要求信号Ｓ２４が、通信部１２８からユーザインターフェイス部１２２の出力ポート１２２ｏを経て、外部装置であるサーバ２００にインターネットＮＥＴを介して送信される。取得データ信号Ｓ２５が、サーバ２００からユーザインターフェイス部１２２の入力ポート１２２ｉを経て、取得用インターフェイス部１２５を通り、第１記憶領域１１０に格納される（図６ではデータＣ）。
【００３８】
図７は、本発明の再生装置のインターフェイス部の再生処理のフローチャートである。ステップＳｔ１において、インターフェイス部がユーザから再生要求を受け付ける。ステップＳｔ２において、インターフェイス部から再生要求を受信した監視部が、第２記憶領域の秘匿性を監視する。ステップＳｔ３において、第２記憶領域が秘匿性を持つか否かを判定し、第２記憶領域の秘匿性が保たれている場合、ステップＳｔ４において、インターフェイス部により、第１記憶領域のデータを再生部に開示・供給する。ステップＳｔ６において、インターフェイス部は終了要求があったか否かを判定し、終了要求を受け付けるまで終了要求を待ち、終了要求を受け付けると、ステップＳｔ７において、終了処理を行う。
【００３９】
ステップＳｔ３において、第２記憶領域の秘匿性を判定し、第２記憶領域の秘匿性が保たれていない場合、ステップＳｔ８において、第２記憶領域をセキュアな状態に変更する。ステップＳｔ９において、第２記憶領域の秘匿性を判定し、第２記憶領域の秘匿性を確認できると、ステップＳｔ３へ移り、第２記憶領域の秘匿性を確認できない場合は、ステップＳｔ７へ移る。
【００４０】
図８は、本発明の再生装置のインターフェイス部の制御処理のフローチャートである。ステップＳｔ１１において、インターフェイス部がユーザから再生要求を受け付ける。ステップＳｔ１２において、インターフェイス部から再生要求を受信した監視部が、オペレーティングシステムの秘匿性を監視する。監視内容としては、例えば、（１）現在のログオンユーザの権限は正常か、（２）オペレーティングシステム内のハードディスク領域のフォルダ・ファイルパーミッションがセキュアに保たれているか、（３）不要なデバイスが接続されていないか、（４）不要なアプリケーションやサービスが起動していないか、（５）ポリシー・レジストリなどのシステム設定が正常に保たれているか、である。ステップＳｔ１３において、オペレーティングシステムがセキュアな状態に保たれていることを確認すると、ステップＳｔ１４において、インターフェイス部により、第１記憶領域のデータを再生部に開示・供給する。
【００４１】
ステップＳｔ１３において、オペレーティングシステムが秘匿性を持つか否かを判定し、オペレーティングシステムがセキュアでない場合、ステップＳｔ１５において、オペレーティングシステムが制御可能であるかを判定し、制御可能である場合、ステップＳｔ１６において、オペレーティングシステムの状態をセキュアな状態に変更する。変更内容としては、例えば、（１）ログオンユーザの権限を変更、（２）オペレーティングシステム内のハードディスク領域のフォルダ・ファイルパーミッションを変更、（３）不要なデバイスドライバを停止・無効化、（４）不要なアプリケーションやサービスを停止、（５）ポリシー・レジストリなどのシステム設定を変更、である。ステップＳｔ１７において、オペレーティングシステムの状態をセキュアな状態に変更できたかを判定し、できた場合は、ステップＳｔ１３に戻り、できなかった場合は、この制御処理を終了する。また、ステップＳｔ１５において、オペレーティングシステムが制御可能でない場合もこの制御処理を終了する。
【００４２】
図９は、本発明の再生装置のインターフェイス部のデータ取得処理のフローチャートである。ステップＳｔ２１において、インターフェイス部がユーザから取得要求を受け付けると、ステップＳｔ２２において、インターフェイス部が外部のデータ供給装置に接続する。外部のデータ供給装置とは、例えば、インターネットなどのネットワークを介したサーバ、ＣＤ／ＤＶＤドライブ、サウンドカードである。ステップＳｔ２３において、接続できたかを判定し、接続できた場合、ステップＳｔ２４において、インターフェイス部が外部のデータ供給装置からデータを取得し、第１記憶領域に格納する。ステップＳｔ２５において、データの取得が終了したかを判定し、終了している場合は、ステップＳｔ２８において、終了処理を行い、このデータ取得処理を終了する。ステップＳｔ２５において、データの取得が終了していない場合は、ステップＳｔ２７において、終了要求を受け付け、ステップＳｔ２８において、終了要求があるかを判定し、あった場合は、ステップＳｔ２６の終了処理に移る。ステップＳｔ２８において、終了要求がなかった場合は、ステップＳｔ２４に戻り、データの取得を継続する。
【図面の簡単な説明】
【００４３】
【図１】本発明の再生装置の全体図である。
【図２】本発明の一実施様態による再生装置のブロック図である。
【図３】本発明の他の実施様態による再生装置のブロック図であり、第２記憶領域１３０に再生データを開示する信号とデータの流れを説明するための図である。
【図４】本発明の他の実施様態による再生装置のブロック図である。
【図５】本発明の他の実施様態による再生装置のブロック図である。
【図６】本発明の他の実施様態による再生装置のブロック図である。
【図７】本発明の再生装置のインターフェイス部の再生処理のフローチャートである。
【図８】本発明の再生装置のインターフェイス部の制御処理のフローチャートである。
【図９】本発明の再生装置のインターフェイス部のデータ取得処理のフローチャートである。
【符号の説明】
【００４４】
１００    再生装置
１１０    第１記憶領域
１２０    インターフェイス部
１２２    ユーザインターフェイス部
１２４    初期部
１２５    取得用インターフェイス部
１２５Ｄ  復号部
１２５Ｅ  暗号部
１２６    再生用インターフェイス部
１２６Ｄ  復号部
１２６Ｅ  暗号部
１２７    監視部
１２８    通信部
１３０    第２記憶領域
１３２    再生部
１４０    入力コネクタ部
１４２    アナログ入力コネクタ
１４４    デジタル入力コネクタ
２００    サーバ
２１０    アナログ再生装置
２２０    デジタル再生装置
ＮＥＴ    インターネット
【図１】
2008234581.tif 000003
【図２】
2008234581.tif 000004
【図３】
2008234581.tif 000005
【図４】
2008234581.tif 000006
【図５】
2008234581.tif 000007
【図６】
2008234581.tif 000008
【図７】
2008234581.tif 000009
【図８】
2008234581.tif 000010
【図９】
2008234581.tif 000011